(57)【要約】【課題】  飲食店等の室内に設置したときも、室内のインテリアや装飾デザイン或いは改造と適合させることができ、また、季節等に応じたインテリアとして使用可能な分煙装置を提供する。【解決手段】  分煙装置１は、室内に設置され、内部に喫煙空間を形成するように周囲に側壁が設けられた箱状に形成されている。喫煙空間の上部には、喫煙空間内の空気を清浄するフィルタ部６ａを備えた空気清浄部６が設けられ、側壁２の外面には、図形、絵画、風景、動植物画像等を表示したパネル７が交換可能に設置される。【選択図】図１
0003220531.tif 000002
【実用新案登録請求の範囲】
【請求項１】
室内に設置され、内部に喫煙空間を形成するように周囲に側壁が設けられた箱状に形成され、前記喫煙空間の上部には、前記喫煙空間内の空気を清浄するフィルタを備えた空気清浄部が設けられた分煙装置であって、
前記側壁の外面には、図形、絵画、風景、動植物画像等を表示したパネルが交換可能に設置されている分煙装置。
【請求項２】
前記パネルは、前記屋内に向かう前記側壁の外面に設けられた取り付け部材により着脱自在に設置された請求項１に記載の分煙装置。
【考案の詳細な説明】
【技術分野】
【０００１】  本考案は、飲食店や公共施設、或いは娯楽施設等の室内に設置され、この室内に禁煙空間と分割した喫煙空間を形成するための分煙装置に関する。
【背景技術】
【０００２】  近年、公共、私設の場所や施設等において室内空間を禁煙区域と喫煙区域とに分割するための分煙対策が推進されている。しかしながら、小規模な飲食店等では、室内の間取りを区分した喫煙室の設置が困難であり、このため、喫煙者は飲食店から離れた公共的な喫煙場所などに行って喫煙することを余儀なくされることから、飲食店のサービスの低下に繋がる問題がある。【０００３】  このような問題を解消するため、室内に設置可能な分煙装置が知られている。例えば、特開２０１３−２４５４４０号公報（特許文献１）、或いは、特開２０１７−９６５６２号公報（特許文献２）には、内部に喫煙空間を画成すると共に喫煙空間の側方を包囲する側壁と、喫煙空間の上部を画成する天井と、天井または側壁上部に設けられた煙排気口とを備えた分煙装置が示されている。これらの分煙装置は、室内に設置することにより、喫煙者が入室して喫煙できるので、店内で分煙ができることから、サービスを向上させることが可能である。
【先行技術文献】
【特許文献】
【０００４】
【特許文献１】特開２０１３−２４５４４０号公報
【特許文献２】特開２０１７−９６５６２号公報
【考案の概要】
【考案が解決しようとする課題】
【０００５】  特許文献１及び特許文献２は、飲食店等の室内において分煙できることでは十分に機能を果たしている。しかしながら、従来の分煙装置は、単なる箱形のボックスであり、室内のインテリアや装飾デザインとは異なるため、室内の雰囲気を阻害する問題があった。このため、多くの飲食店等では室内への設置を断念し、この結果、喫煙者に対するサービスを低下させ、来客数を減少させる要因となっていた。【０００６】  本考案が解決しようとする課題は、飲食店等の室内に設置したときも、室内のインテリアや装飾デザイン或いは改造と適合させることができ、また、季節等に応じたインテリアとして使用可能な分煙装置を提供することにある。
【課題を解決するための手段】
【０００７】  そこで、本考案による分煙装置は、室内に設置され、内部に喫煙空間を形成するように周囲に側壁が設けられた箱状に形成され、前記喫煙空間の上部には、前記喫煙空間内の空気を清浄するフィルタを備えた空気清浄部が設けられ、前記側壁の外面には、図形、絵画、風景、動植物画像等を表示したパネルが交換可能に設置されるようにしている。【０００８】  また、前記パネルは、前記屋内に向かう前記側壁の外面に設けられた取り付け部材により着脱自在に設置されるようにしている。
【考案の効果】
【０００９】  本考案によれば、分煙装置の側壁の外面図形、絵画、風景、動植物画像等を表示したパネルを交換可能に設置するようにしているので、室内のインテリアや装飾デザインに対応した図形、絵画、風景、動植物画像等を表示したパネルを取り付けることにより、飲食店等の室内に設置したとき、室内のインテリア等の雰囲気に適合させることができる。また、パネルを側壁の外面に設けられた取り付け部材により着脱自在に設置できるようにしているので、室内のインテリアに合わせて雰囲気を変えるとき、改造するときに、或いは、季節等に応じたインテリアデザインに任意に変更することができる。【００１０】  また、パネルを着脱自在に取り付ける分煙装置の側壁は、屋内に向かう側壁の外面としているので、パネルの設置枚数が少なくなり安価に設置することができる。されに、パネルは、取り付け部材により着脱自在に設置するようにしているので、パネルの交換作業を容易にすることが可能である。
【図面の簡単な説明】
【００１１】
【図１】本考案に関わる分煙装置の実施例を示す斜視図である。
【図２】（Ａ）（Ｂ）（Ｃ）は、取り付け部材によりパネルを取り付けた状態を示す要部断面図である。
【考案を実施するための形態】
【００１２】  分煙装置は、室内に設置され、内部に喫煙空間を形成するように周囲に側壁が設けられた箱状に形成されている。喫煙空間の上部には、喫煙空間内の空気を清浄するフィルタを備えた空気清浄部が設けられ、側壁の外面には、図形、絵画、風景、動植物画像等を表示したパネルを交換可能に設置されるようにしている。
【００１３】  以下、図面に基づいて本考案の実施例を詳細に説明する。図１は、本考案に関わる分煙装置の実施例を示している。図１に示す分煙装置１は、例えば、飲食店、公共的な場所において、喫煙区域を分割するように室内の床面に載置することによりに設置される。分煙装置１は、内部に喫煙空間を形成するように、３面の周囲に側壁２が設けられた箱状に形成されている。さらに、前方には、喫煙者３が出入りするためのドア４が開閉自在に設けられ、３面の側壁２とドア４によって喫煙空間が形成される。なお、ドア４の下端は床面よりも高くし、流入口５を形成することにより、外部から喫煙空間から空気が流入するようにしている。
【００１４】  さらに、分煙装置１の喫煙空間の上部には、喫煙空間内の空気を清浄するフィルタを備えた空気清浄部６が設けられ、喫煙空間の空気を浄化するようにしている。この空気清浄部６は、分煙装置１の上面側を覆うようにしていて、分煙装置１から喫煙者が発する煙を漏出させないようにしている。なお、空気清浄部６には排出口６ａを設け、喫煙空間の内部から屋外に空気を排出するようにしても良い。このように、喫煙空間内の空気を排出する場合には、流入口５から新鮮な空気を流入し、排出口６ａに流れるような循環経路が形成される。
【００１５】  分煙装置１の３面の周囲に設けられた側壁２の外面には、図２に示すような複数個の取り付け部材８によって、パネル７が着脱自在に設置されている。パネル７は、図１に示すように、例えば、桜の花のイラストや紅葉のイラスト等の他、山や海の風景、或いは絵画、また、各種のポスター、店内の壁面と同じ壁模様等が描かれている。このパネル７は、厚手の紙、プラスチック板、或いは、軽金属板に直接プリントする他、印刷物を貼付しても良い。さらに、場合によっては、壁材を貼付または塗布するようにしても良い。
【００１６】  図２（Ａ）に示す取り付け部材８は、壁掛けフックであり、側壁２の外面にＬ字状の先端側が突出し、基端側が側壁２の内面側に固着されている。一方、パネル７には取り付け部材８に挿通して吊り下げるための透孔７ａが４個所に形成されている。そして、図１に示すように、４個所の取り付け部材８にパネル７の透孔７ａを挿通することにより設置される。また、パネル７を外す場合は、４個所の取り付け部材８から離脱すれば、容易に取り外すことができる。
【００１７】  図２（Ｂ）に示す取り付け部材は、ガイドレール９であり、クランク状のガイドレール９の一端を側壁２の外面にビス１０等により固着して、他端側に側壁２との隙間を形成することにより、ガイドレール９が形成される。そして、隙間に横方向からパネル７を横方向にスライド挿入することにより設置される。また、パネル７を外す場合は、反対方向にスライドすれば、容易に取り外すことができる。
【００１８】  図２（Ｃ）に示す取り付け部材は、貼り替え可能な両面テープ１１であり、側壁２の外面に予め貼付された両面テープ１１にパネル７を貼付している。この両面テープ１１は、容易に剥がせることができ、他のパネル７に交換するときは、以前に貼られたパネル７を両面テープ１１から剥がし、その後、新たなパネル７を両面テープ１１に貼付することにより容易に交換できる。なお、このように、貼り替え可能にするためには、面ファスナーを使用してもよい、この場合、予め面ファスナーを側壁２の外面に貼付または固着するとともに、パネル７の裏面にも面ファスナーを貼付しておくことにより、自在に交換ができる。さらに、側壁２が鉄板の場合には、ゴム磁石テープを使用することもできる。パネル７の裏面にゴム磁石テープを貼付することにより、側壁２にゴム磁石テープが磁気的に吸着するので、容易に貼付することができる。また、剥がすときは、パネル７を引き離せば良い。
【００１９】  以上、本考案を実施例に基づき具体的に説明したが、本考案は上記実施例に限定されるものではなく、その要旨を逸脱しない範囲で種々変形可能であることは言うまでもない。
前述した実施例においては、分煙装置１の３面の周囲に設けられた側壁２の外面にパネル７を交換可能に設置するようにしたが、分煙装置１を設置する場所に応じて、１面、２面のみとしても良い。また、パネル７を側壁２の全面に取り付けるようにしたが、部分的に取り付けても良い。さらに、パネルを図形、絵画、風景、動植物画像等の形状に合わせた外形に形成して側壁２に取り付けるようにしても良い。
【符号の説明】
【００２０】  １  分煙装置
２  側壁
６  空気清浄部
７  パネル
８  取り付け部材
【図１】
0003220531.tif 000003
【図２】
0003220531.tif 000004